(57)【要約】【課題】足に浅く履くフットカバーを脱げ難くすると共にフィット感を得るようにすること。【解決手段】編地１４で前後に長く形成して爪先Ｈａから踵部Ｈｂまでを被覆する被覆部１２と、甲部Ｈｃ及び足首部Ｈｄを露出させる履き口部１３とを備え、編地１３として、履き口部１３の開口周縁部に沿う周方向にコース方向を一致した丸編を用い、前後方向の中央部１２ｃを除く前部１２ａ及び後部１２ｂに比べて中央部１２ｃの左右両側１２ｃ−１，１２ｃ−１が、編み目を形成するループ１４ａのウエール方向のピッチを小さくしている。【効果】履いたとき、中央部１２ｃの左右両側１２ｃ−１，１２ｃ−１は前後両部１２ａ，１２ｂに比べて伸び難く前後両部を接近させる方向へ引っ張っることになり、前部１２ａは爪先Ｈａ側を覆うように伸びると共に後部１２ｂは踵部Ｈｂを覆うように伸びる。【選択図】　図１
2004011081.tif 000002
【特許請求の範囲】
【請求項１】
編地で前後に長く形成して爪先から踵部までを被覆する被覆部と、甲部及び足首部を露出させる履き口部とを備えたフットカバーにおいて、前記被覆部は、前後方向の中央部を除く前部及び後部に比べ中央部の左右両側が、履いたときに、前後方向及び履き口部から底部へ向かう周方向へ伸び難くなっていることを特徴とするフットカバー。
【請求項２】
前記被覆部の前部及び後部が、前記中央部から離れる方向へ向かって行く程に、履いたときに伸び易くなっている請求項１記載のフットカバー。
【請求項３】
編地で前後に長く形成して爪先から踵部までを被覆する被覆部と、甲部及び足首部を露出させる履き口部とを備えたフットカバーにおいて、前記被覆部は、前記編地として、前記履き口部の開口周縁部に沿う周方向にコース方向を一致した丸編を用い、前後方向の中央部を除く前部及び後部に比べて中央部の左右両側が、編み目を形成するループのウエール方向のピッチを小さくしていることを特徴とするフットカバー。
【請求項４】
前記被覆部の前部及び後部は、パール編みの編地とし、前記中央部から離れる方向へ向かって行く程に前記ウエール方向のピッチを大きくした請求項３記載のフットカバー。
【発明の詳細な説明】
【０００１】
【発明の属する技術分野】
本発明は、甲部の部分が広くあいたパンプスから露出することなく、ムレや靴擦れを防止することが可能なフットカバーの改良に関するものである。
【０００２】
【従来の技術】
図６及び図７に示すように従来のフットカバー１は、編地４で前後に長く形成して爪先Ｈａから踵部Ｈｂまでを被覆する被覆部２と、甲部Ｈｃ及び足首部Ｈｄを露出させる履き口部３とを備えている。被覆部２は、編み目の大きさが全体にわたって等しい編地４を用い、裁断した編地４の合わせ箇所を縫合５して形成してある。被覆部２は、爪先Ｈｃ側を覆う前部２ａと、踵部Ｈｂを覆う後部２ｂと、足円がい（土ふまず）Ｈｅを覆う中央部２ｃとを備えている。フットカバー１は、履いたときに、爪先Ｈｃと踵部Ｈｂとの間で延びて前後方向へ引っ張られる状態となる。
【０００３】
【発明が解決しようとする課題】
従来のフットカバー１は、編み目の大きさが全体にわたって等しい編地４で被覆部２が形成されているため、前後方向へ延ばした状態で履いたとき、前後方向の全域にわたって同じ伸び率で伸びるため、脱げ易かった。また、従来のフットカバー１は、前後方向へ延ばした状態で履いたときに中央部２ｃが略真っ直ぐに伸びるため、中央部２ｃの底面側と足円がいＨｅの間に隙間が形成されたり、足円がいＨｅに中央部２ｃの底面側が適度に圧着しないことがあり、フィット感を損なうことがあった。そこで、本発明は、上記問題を解決できるフットカバーを提供するものである。
【０００４】
【課題を解決するための手段】
脱げ難くすると共にフィット感を得るために請求項１記載の本発明が採用した手段は、編地で前後に長く形成して爪先から踵部までを被覆する被覆部と、甲部及び足首部を露出させる履き口部とを備えたフットカバーにおいて、前記被覆部は、前後方向の中央部を除く前部及び後部に比べ中央部の左右両側が、履いたときに、前後方向及び履き口部から底部へ向かう周方向へ伸び難くなっていることを特徴とするフットカバーである。
本発明にあっては、前後方向へ延ばした状態で履いたとき、前部は爪先側を覆うように伸びると共に後部は踵部を覆うように伸び、中央部の左右両側は前後両部に比べて前後方向へ伸び難いために前後両部を接近させる方向へ引っ張って脱げ難くすると共に、中央部の左右両側は前後両部に比べて周方向へ伸び難いために足円がい（土ふまず）へ中央部をフィットさせることができる。
【０００５】
爪先側及び踵部にフットし易くするために請求項２記載の本発明が採用した手段は、前記被覆部の前部及び後部が、前記中央部から離れる方向へ向かって行く程に、履いたときに伸び易くなっている請求項１記載のフットカバーである。
本発明にあっては、前後方向へ延ばした状態で履いたとき、爪先側の形状に応じて前部が伸び、また、踵部側の形状に応じて後部が伸びるので、爪先側及び踵部に強く締め付けない状態で楽にフィットする。
【０００６】
脱げ難くすると共にフィット感を得るために請求項３記載の本発明が採用した手段は、編地で前後に長く形成して爪先から踵部までを被覆する被覆部と、甲部及び足首部を露出させる履き口部とを備えたフットカバーにおいて、前記被覆部は、前記編地として、前記履き口部の開口周縁部に沿う周方向にコース方向を一致した丸編を用い、前後方向の中央部を除く前部及び後部に比べて中央部の左右両側が、編み目を形成するループのウエール方向のピッチを小さくしていることを特徴とするフットカバーである。
本発明にあっては、編み目を形成するループのウエール方向のピッチを小さくする程に伸び難くなるため、中央部の左右両側は前後両部に比べて、前後方向及び履き口部から底部へ向かう周方向へ伸び難くなる。そのため、前後方向へ延ばした状態で履いたとき、前部は爪先側を覆うように伸びると共に後部は踵部を覆うように伸び、中央部の左右両側は前後両部に比べて前後方向へ伸び難いために前後両部を接近させる方向へ引っ張って脱げ難くすると共に、中央部の左右両側は前後両部に比べて周方向へ伸び難いために足円がい（土ふまず）へ中央部をフィットさせることができる。
【０００７】
爪先側及び踵部にフットし易くするために請求項４記載の本発明が採用した手段は、前記被覆部の前部及び後部は、パール編みの編地とし、前記中央部から離れる方向へ向かって行く程に前記ウエール方向のピッチを大きくした請求項３記載のフットカバーである。
本発明にあっては、編み目を形成するループのウエール方向のピッチを大きくする程に伸び易くなるため、前後方向へ延ばした状態で履いたとき、爪先側の形状に応じて前部が伸び、また、踵部側の形状に応じて後部が伸び、爪先側及び踵部に強く締め付けない状態で楽にフィットする。
【０００８】
【発明の実施の形態】
以下、本発明に係るフットカバー（以下、「本発明フットカバー」という）を図面に示す実施の形態に基づいて説明する。
【０００９】
図１乃至図５は本発明フットカバーの実施の形態を示すものであり、図１の（Ａ）は足に本発明フットカバーを履いた状態を示す側面図、同図の（Ｂ）は各部位の編み目の拡大図、図２は履かないそのままの状態の本発明フットカバーを示す側面図、図３の（Ａ）は足に本発明フットカバーを履い状態の底面側を示す斜視図、同図の（Ｂ）は各部位の編み目の拡大図、図４は足に本発明フットカバーを履いている途中の状態を示す斜視図、図５は二点鎖線で示すパンプスに本発明フットカバーを付けて履いた状態を示す側面図である。
【００１０】
本実施の形態に係る本発明フットカバー１１は、編地１４で前後に長く形成して爪先Ｈａから踵部Ｈｂまでを被覆する被覆部１２と、甲部Ｈｃ及び足首部Ｈｄを露出させる履き口部１３とを備えている。更に、被覆部１２は、前後方向の中央部１２ｃと、中央部１２ｃを除く前部１２ａ及び後部１２ｂとからなる。また、中央部１２ｃは、足円がい（土ふまず）Ｈｅを覆う底面側１２ｃ−２と、履き口部１３と底面側１２ｃ−２の間に形成した左右両側１２ｃ−１，１２ｃ−１とからなる。
【００１１】
前記被覆部１２は、前後方向の中央部１２ｃを除く前部１２ａ及び後部１２ｂに比べて中央部１２ｃの左右両側１２ｃ−１，１２ｃ−１を、足に履いたときに伸び難くなるようにしてある。この伸び難さには、前後方向に沿った伸び（以下、「前後方向の伸び」という）と、前後方向に直交する面で仮想横断したときに形成される本発明フットカバー１１の切り口の周方向（以下、「周方向」という）に沿った伸び（以下、「周方向の伸び」という）との両方がある。殊に、周方向の伸びについては、前部１２ａのイーイ線（図１（Ａ）参照）及び後部１２ｂのハーハ線における仮想断面に比べて、中央部１２ｃの左右両側１２ｃ−１，１２ｃ−１のローロ線における仮想断面の方が、顕著に伸び難くなるようにしてある。
【００１２】
前記前部１２ａは、爪先Ｈａ側を覆うものであって、中央部１２ｃから離れる方向（爪先Ｈａへ向かう方向）へ向かって行く程に、前後方向の伸び及び周方向の伸びが伸び易くなっている。後部１２ｂは、踵部Ｈｂ側を覆うものであって、中央部１２ｃから離れる方向（踵部Ｈｂの先端Ｈｂ′へ向かう方向）へ向かって行く程に、前後方向の伸び及び周方向の伸びが伸び易くなっている。
【００１３】
本実施の形態では、前記編地１４として、履き口部１３の開口周縁部１３ａに沿う周方向にコース方向を一致した丸編地を用いている。ところで、丸編地は、編み目を形成するループ１４ａのウエール方向のピッチを小さくする程に、ウエール方向及びコース方向について伸び難くなる。そこで、前記被覆部１２は、前部１２ａ及び後部１２ｂに比べ中央部１２ｃの左右両側１２ｃ−１，１２ｃ−１を伸び難くするために、丸編地１４の編み目を形成するループ１４ａのウエール方向のピッチについて、前部１２ａ及び後部１２ｂに比べ中央部１２ｃの左右両側１２ｃ−１，１２ｃ−１の方を小さくしてある。すなわち、中央部１２ｃの左右両側１２ｃ−１，１２ｃ−１は、前部１２ａ及び後部１２ｂに比べ、履く前から縮んだ状態になっている（図２参照）。更に、被覆部１２は、前部１２ａ及び後部１２ｂが中央部１２ｃから離れる方向へ向かって行く程に伸び易くするために、丸編地１４の編み目を形成するループ１４ａのウエール方向のピッチについて、この離れる方向へ向かって行く程に大きくなるようにしてある。
【００１４】
前記被覆部１２は、中央部１２ｃの底面側１２ｃ−２が前部１２ａ及び後部１２ｂの途中まで延びている（図３参照）。この中央部１２ｃの底面側１２ｃ−２は、そのウエール方向のピッチについて、中央部１２ｃの左右両側１２ｃ−１，１２ｃ−１に近い前部１２ａ及び後部１２ｂの部分のそれと略同一とし、前後方向の伸び及び周方向の伸びについて、中央部１２ｃの左右両側１２ｃ−１，１２ｃ−１に近い前部１２ａ及び後部１２ｂの部分のそれと略同程度にしてある。中央部１２ｃの底面側１２ｃ−２は、縫合するなどして閉口１６してある。
【００１５】
前記被覆部１２は、前部１２ａ及び後部１２ｂにパール編みを用い、ウエール方向及びコース方向の伸びを大きくできるようにしてある。また、被覆部１２は、中央部１２ｃの左右両側１２ｃ−１，１２ｃ−１にタック編み（図１（Ｂ）及び図３（Ｂ）の編み目についてはパール編みのみを示している）を用い、殊にウエール方向を伸び難く（すなわち、履いたときには周方向を伸び難く）なるようにしてある。被覆部１２は、中央部１２ｃの底面側１２ｃ−２に平編みを用い、ウエール方向に比べコース方向の伸びを大きくできるようにしてある。
【００１６】
前記履き口部１３は、袋編みしたものを編み止める等して開口周縁部１３ａを形成してある。
【００１７】
本実施の形態に係る本発明フットカバー１１は、後部１２ｂの内側に、複数個の滑り止め材１７を接着する等して取付け、履いたときに踵部Ｈｂから脱げ難くしてある。
【００１８】
なお、前記被覆部１２は、前後両部１２ａ，１２ｂ及び中央部１２ｃを一つの丸編地１４で連続的に形成する以外に、個別に形成した各部分１２ａ，１２ｂ，１２ｃの境界部を縫合して全体を形成することも可能である。
【００１９】
本発明フットカバー１１を用いるときには、図４に示す如く、履き口部１３を介して前部１２ａへ爪先Ｈａ側を挿入し、履き口部１３を後側へ引っ張って大きく開口させた状態で踵部Ｈｂの後側へ後部１２ｂを位置させ、その後に引っ張りを解除して踵部Ｈｂを後部１２ｂで覆って履く。本発明フットカバー１１は、前後方向へ延ばした状態で履いたとき、前部１２ａが爪先Ｈａ側を覆うように伸びると共に後部１２ｂが踵部Ｈｂを覆うように伸び、中央部１２ｃの左右両側１２ｃ−１，１２ｃ−１が前後両部１２ａ，１２ｂに比べて前後方向が伸び難いため前後両部１２ａ，１２ｂを接近させる方向へ引っ張って脱げ難くい状態になると共に、中央部１２ｃの左右両側１２ｃ−１，１２ｃ−１が前後両部１２ａ，１２ｂに比べて周方向が伸び難いため、足円がい（土ふまず）Ｈｅへ中央部１２ｃの底面側１２ｃ−２を隙間無４フィットさせることが可能となる。
【００２０】
更に、本発明フットカバー１１は、前後方向へ延ばした状態で履いたとき、爪先側及び踵部側の形状に応じて前部１２ａ及び後部１２ｂが前後方向及び周方向へ充分に伸びるので、爪先側及び踵部側に強く締め付けない状態で楽にフィットする。足に履いた本発明フットカバー１１は、甲部の部分が広くあいたパンプスＰ（図５参照）から露出することなく、ムレや靴擦れを防止することが可能となる。
【００２１】
【発明の効果】
請求項１及び３記載の本発明フットカバーは、足に履いたときに、中央部の左右両側が前後両部に比べて前後方向へ伸び難いために前後両部を接近させる方向へ引っ張って脱げ難くすると共に、中央部の左右両側が前後両部に比べて周方向へ伸び難いために足円がい（土ふまず）へ中央部をフィットさせることができる。
【００２２】
請求項２及び４記載の本発明フットカバーは、爪先側及び踵部に強く締め付けない状態で楽にフィットするので履き心地がよい。
【図面の簡単な説明】
【図１】本発明フットカバーの実施の形態を示すものであって、（Ａ）は足に本発明フットカバーを履いた状態を示す側面図、（Ｂ）は各部位の編み目の拡大図である。
【図２】同実施の形態において、履かないそのままの状態の本発明フットカバーを示す側面図である。
【図３】同実施の形態を示すものであって、（Ａ）は足に本発明フットカバーを履い状態の底面側を示す斜視図、（Ｂ）は各部位の編み目の拡大図である。
【図４】同実施の形態において、足に本発明フットカバーを履いている途中の状態を示す斜視図である。
【図５】同実施の形態において、二点鎖線で示すパンプスに本発明フットカバーを付けて履いた状態を示す側面図である。
【図６】従来のフットカバーを示す側面図である。
【図７】従来のフットカバーを履いた状態を示す斜視図である。
【符号の説明】
１２…被覆部、１２ａ…前部、１２ｂ…後部、１２ｃ…中央部、１２ｃ−１…左右両側、１３…履き口部、１４…編地、１４ａ…ループ、Ｈａ…爪先、Ｈｂ…踵部、Ｈｃ…甲部、Ｈｄ…足首部
【図１】
2004011081.tif 000003
【図２】
2004011081.tif 000004
【図３】
2004011081.tif 000005
【図４】
2004011081.tif 000006
【図５】
2004011081.tif 000007
【図６】
2004011081.tif 000008
【図７】
2004011081.tif 000009